(57)【要約】【課題】発光部を用いてポケットの中を照明することができ、かつ、この発光部を他の用途に用いることもできるようにする。【解決手段】発光部１０は、ポケット２０の前面部材２２に回転可能に取り付けられている。制御部４０は発光部１０の発光状態を制御する。発光部１０の発光状態には、第１状態及び第２状態を有している。そして制御部４０は、発光部１０がポケット２０の前面部材２２に対向しているときには第１状態で発光部１０を発光させる。【選択図】図１
2016153289.tif 000002
【特許請求の範囲】
【請求項１】
前面の少なくとも一部が可視光を透過するポケットと、
前記ポケットの前面に回転可能に取り付けられた発光部と、
前記発光部の発光状態を制御する制御部と、
を備え、
前記発光状態は、少なくとも第１状態と第２状態とを有し、
前記制御部は、前記発光部が前記前面に対向しているときには前記発光部を前記第１状態で発光させる発光装置。
【請求項２】
請求項１に記載の発光装置において、
前記制御部は、前記発光部が前記前面とは逆側を向いているときには発光部を前記第２状態で発光させる発光装置。
【請求項３】
請求項１又は２に記載の発光装置において、
前記発光部は、可視光を反射する電極を含み、
前記第２状態は、前記発光部の一部を発光させない発光装置。
【請求項４】
請求項１〜３のいずれか一項に記載の発光装置において、
前記ポケットは、移動体の座席の背面に配置される発光装置。
【請求項５】
請求項４に記載の発光装置において、
前記発光部は、
発光面の端部に設けられた第１スイッチと
前記発光面とは逆側の面に設けられた第２スイッチと、
を備え、
前記第１スイッチ及び前記第２スイッチは、前記発光部のうち前記ポケットに取り付けられている部分とは逆側に位置し、
前記制御部は、前記第１スイッチが押されたときには前記発光部を前記第１状態で発光させ、前記第２スイッチが押されたときには前記発光部を前記第２状態で発光させる発光装置。
【発明の詳細な説明】
【技術分野】
【０００１】
本発明は、発光装置に関する。
【背景技術】
【０００２】
自動車などの車両の内部には、座席が設けられている。この座席の背面には、後部座席に座る人のために、ポケットが設けられている場合が多い。特許文献１には、このポケットの内側に、後部座席の足元を照らすための光源を配置することが記載されている。そしてこの光源には、線状導光体が接続されている。この線状導光体は、ポケットの内部から後部座席の足元に延在している。光源から放射された光は、この線状導光体を介して後部座席の足元に導かれる。
【先行技術文献】
【特許文献】
【０００３】
【特許文献１】特開２００９−１９６４５０号公報
【発明の概要】
【発明が解決しようとする課題】
【０００４】
車両の中が暗い場合、後部座席に座る人は、ポケットの中を確認しづらい。本発明者は、発光部を用いてポケットの中を照明することができ、かつ、この発光部を他の用途に用いることもできるようにすることを検討した。
【０００５】
本発明が解決しようとする課題としては、発光部を用いてポケットの中を照明することができ、かつ、この発光部を他の用途に用いることもできるようにすることが一例として挙げられる。
【課題を解決するための手段】
【０００６】
請求項１に記載の発明は、前面の少なくとも一部が可視光を透過するポケットと、
前記ポケットの前面に回転可能に取り付けられた発光部と、
前記発光部の発光状態を制御する制御部と、
を備え、
前記発光状態は、少なくとも第１状態と第２状態とを有し、
前記制御部は、前記発光部が前記前面に対向しているときには前記発光部を前記第１状態で発光させる発光装置である。
【図面の簡単な説明】
【０００７】
【図１】実施形態に係る発光装置の構成を示す断面図である。
【図２】発光部の発光素子の構成を示す断面図である。
【図３】ユーザがポケットの内部を覗いた状態を説明するための図である。
【図４】第１状態における発光部の発光状態を説明するための図である。
【図５】ユーザが発光部を他の用途で用いるときを説明するための図である。
【図６】第２状態における発光部の発光状態を説明するための図である。
【図７】変形例に係る発光装置の構成を示す図である。
【発明を実施するための形態】
【０００８】
以下、本発明の実施の形態について、図面を用いて説明する。尚、すべての図面において、同様な構成要素には同様の符号を付し、適宜説明を省略する。
【０００９】
なお、以下に示す説明において、制御部４０は、ハードウエア単位の構成ではなく、機能単位のブロックを示している。制御部４０は、任意のコンピュータのＣＰＵ、メモリ、メモリにロードされたプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１０】
図１は、実施形態に係る発光装置の構成を示す断面図である。実施形態に係る発光装置は、発光部１０、ポケット２０、及び制御部４０を備えている。ポケット２０の前面（前面部材２２）の少なくとも一部は、可視光を透過する。発光部１０は、ポケット２０の前面部材２２に回転可能に取り付けられている。制御部４０は発光部１０の発光状態を制御する。発光部１０の発光状態は、少なくとも第１状態及び第２状態を有している。そして制御部４０は、発光部１０がポケット２０の前面部材２２に対向しているときには第１状態で発光部１０を発光させる。以下、詳細に説明する。
【００１１】
ポケット２０は移動体（例えば車両、飛行機、又は船）の座席３０の背面に設けられている。ここで車両は、乗用車やバスなどの自動車であってもよいし、電車などの列車であってもよい。図１に示す例において、ポケット２０は、座席３０の背面と、前面部材２２を用いて構成されている。前面部材２２の少なくとも一部（例えば全部）は、可視光を透過する材料（例えば樹脂）を用いて形成されている。前面部材２２の下端は座席３０の背面に回転可能に固定されている。また前面部材２２の２つの側部は、可撓性を有するシート状の部材（例えば蛇腹形状の部材）を用いて、座席３０の背面に取り付けられている。そして、前面部材２２の上端の少なくとも中央部は解放されている。そして、前面部材２２の上端を手前に引くと、前面部材２２が下端を回転軸として回転し、ポケット２０の開口部が広がる。これにより、ユーザは、ポケット２０の内部に収容されている物を取り出すことができ、また、ポケット２０の内部に収容されている物を視認することができる。
【００１２】
ポケット２０の前面部材２２には、発光部１０が固定部５０を用いて取り付けられている。固定部５０は可撓性を有する材料（例えば樹脂）又は蝶番などを有している。このため、発光部１０は、固定部５０を回転軸として、前面部材２２に対して回転可能になっている。図１に示す例において、発光部１０は、前面部材２２の上端に取り付けられている。このため、発光部１０は、前面部材２２の上端を回転軸として回転することができる。
【００１３】
発光部１０は、例えば面光源を有している。この面光源は、複数の有機ＥＬ素子を有している。複数の有機ＥＬ素子は、制御部４０によって個別に制御されている。言い換えると、制御部４０は、発光部１０の全体を発光させることもできるし、発光部１０の一部のみを発光させることもできる。なお、複数の有機ＥＬ素子のレイアウトや形状に制限はない。
【００１４】
発光部１０のうち固定部５０とは逆側の部分（図１に示す状態では下端）は、ポケット２０の前面部材２２よりも下方に位置している。そして、この部分には、第１スイッチ１１２及び第２スイッチ１１４が取り付けられている。第１スイッチ１１２は発光部１０のうち光が放射される側の面（以下、発光面１０２と記載）に取り付けられており、第２スイッチ１１４は発光部１０のうち発光面１０２とは逆側の面（以下、非発光面１０４と記載）に取り付けられている。
【００１５】
第１スイッチ１１２の出力及び第２スイッチ１１４の出力は、制御部４０に入力される。制御部４０は、第１スイッチ１１２の出力及び第２スイッチ１１４の出力を用いて、発光部１０の発光状態を制御する。
【００１６】
図２は、発光部１０の発光素子の構成を示す断面図である。発光部１０の発光素子は、基板１００を用いて形成されている。本図に示す例において、この発光素子は有機ＥＬ素子であり、第１電極１１０、有機層１２０、及び第２電極１３０を有している。有機層１２０は、第１電極１１０と第２電極１３０の間に位置している。
【００１７】
基板１００は、例えばガラスや透光性の樹脂などの可視光を透過する材料で形成されている。ただし、発光部１０がトップエミッション型である場合、基板１００は透光性を有さない材料で形成されていてもよい。基板１００は、例えば矩形などの多角形である。基板１００は可撓性を有していてもよい。基板１００が可撓性を有している場合、基板１００の厚さは、例えば１０μｍ以上１０００μｍ以下である。特に基板１００がガラスである場合、基板１００の厚さは、例えば２００μｍ以下である。基板１００が樹脂である場合、基板１００は、例えばＰＥＮ（ポリエチレンナフタレート）、ＰＥＳ（ポリエーテルサルホン）、ＰＥＴ（ポリエチレンテレフタラート）、又はポリイミドを用いて形成されている。また、基板１００が樹脂である場合、水分が基板１００を透過することを抑制するために、基板１００の少なくとも一面（好ましくは両面）に、ＳｉＮｘやＳｉＯＮなどの無機バリア膜が形成されている。
【００１８】
第１電極１１０は、可視光を透過する透明電極である。透明電極を構成する透明導電材料は、金属を含む材料、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）、ＺｎＯ（Ｚｉｎｃ  Ｏｘｉｄｅ）等の金属酸化物である。第１電極１１０の厚さは、例えば１０ｎｍ以上５００ｎｍ以下である。第１電極１１０は、例えばスパッタリング法又は蒸着法を用いて形成される。なお、第１電極１１０は、カーボンナノチューブ、又はＰＥＤＯＴ／ＰＳＳなどの導電性有機材料であってもよい。
【００１９】
有機層１２０は発光層を有している。有機層１２０は、例えば、正孔注入層、発光層、及び電子注入層を積層させた構成を有している。正孔注入層と発光層との間には正孔輸送層が形成されていてもよい。また、発光層と電子注入層との間には電子輸送層が形成されていてもよい。有機層１２０は蒸着法で形成されてもよい。また、有機層１２０のうち少なくとも一つの層、例えば第１電極１１０と接触する層は、インクジェット法、印刷法、又はスプレー法などの塗布法によって形成されてもよい。なお、この場合、有機層１２０の残りの層は、蒸着法によって形成されている。また、有機層１２０のすべての層が、塗布法を用いて形成されていてもよい。
【００２０】
第２電極１３０は、例えば、Ａｌ、Ａｕ、Ａｇ、Ｐｔ、Ｍｇ、Ｓｎ、Ｚｎ、及びＩｎからなる第１群の中から選択される金属、又はこの第１群から選択される金属の合金からなる金属層を含んでいる。この場合、第２電極１３０は可視光を反射する。このため、発光素子が発光していないとき、第２電極１３０を鏡として用いることができる。第２電極１３０の厚さは、例えば１０ｎｍ以上５００ｎｍ以下である。ただし、第２電極１３０は、第１電極１１０の材料として例示した材料を用いて形成されていてもよい。第２電極１３０は、例えばスパッタリング法又は蒸着法を用いて形成される。
【００２１】
図３は、ユーザがポケット２０の内部を覗いた状態を説明するための図である。ユーザは、ポケット２０の内部を除くとき、前面部材２２の上端を手前に引き、ポケット２０の開口部（上端）を広げる。このとき、発光部１０の下端及び第１スイッチ１１２は、前面部材２２の下端を支点として座席３０に近づく方向に回転する。そして、第１スイッチ１１２は座席３０に押し付けられ、オンする。第１スイッチ１１２がオンすると、制御部４０は、発光部１０を第１状態で発光させる。
【００２２】
図４は、第１状態における発光部１０の発光状態を説明するための図であり、発光部１０を発光面１０２から見た図である。第１状態において、発光部１０は、前面部材２２を介してポケット２０の内部を照明する。このため、制御部４０は、発光可能な領域のすべてを発光領域１０６とする。言い換えると、制御部４０は、全ての発光素子を発光させる。なお、制御部４０は、発光部１０が有する発光素子の一部のみを発光させてもよい。例えば制御部４０は、発光部１０の縁の近くに位置する発光素子を発光させなくてもよい。
【００２３】
図５は、ユーザが発光部１０を他の用途で用いるときを説明するための図である。この場合、ユーザは、発光部１０を、固定部５０を中心に回転させ、発光面１０２を座席３０とは逆側に向ける。この際、発光部１０の非発光面１０４は座席３０に接触し、これによって第２スイッチ１１４がオンする。第２スイッチ１１４がオンすると、制御部４０は、発光部１０を第２状態で発光させる。このように、制御部４０は、発光部１０が前面部材２２とは逆側を向いているときには、発光部１０を第２状態で発光させる。この際、発光部１０を座席３０に固定する機構を備えることが望ましい。例えば、磁石や面ファスナー、回転して固定・非固定を切り替える機構などを適宜用いることができる。
【００２４】
図６は、第２状態における発光部１０の発光状態を説明するための図であり、発光部１０を発光面１０２から見た図である。第２状態における発光領域と、第１状態における発光領域は完全一致していない。例えば第２状態において、制御部４０は、発光部１０のうち発光可能な領域の一部のみを発光領域１０６として、残りの領域を非発光領域１０８とする。言い換えると、制御部４０は、一部の発光素子のみを発光させる。そして非発光領域１０８に位置する発光素子の第２電極１３０は、鏡として機能する。本図に示す例において、非発光領域１０８（言い換えると鏡）を挟むように発光領域１０６（言い換えると照明装置）が配置されている。
【００２５】
本実施形態によれば、発光部１０の発光面１０２が前面部材２２側を向いているとき、制御部４０は発光部１０を第１状態で発光させる。そして、発光面１０２が前面部材２２とは異なる方向を向いているとき、制御部４０は発光部１０を第２状態で発光させる。このため、発光部１０をそれぞれの用途に適した状態で発光させることができる。言い換えると、発光部１０に、ポケット２０の内部を照明する機能の他に、他の領域を照明する機能を持たせることができる。
【００２６】
また、第２状態において、発光部１０の一部は非発光領域となる。このため、発光部１０の一部を鏡として用いることができる。
【００２７】
さらに、発光部１０には第１スイッチ１１２及び第２スイッチ１１４を取り付けている。第１スイッチ１１２は、ポケット２０を広げるときに座席３０によって押される。第２スイッチ１１４は、発光部１０の第１スイッチ１１２をポケット２０とは逆側に向けたときに座席３０によって押される。そして制御部４０は、第１スイッチ１１２がオンしているときには発光部１０を第１状態で発光させ、第２スイッチ１１４がオンしているときには発光部１０を第２状態で発光させる。このため、ユーザの負荷は小さくなる。
【００２８】
（変形例）
図７は、変形例に係る発光装置の構成を示す図であり、実施形態における図５に対応している。本変形例に係る発光部１０は、第２スイッチ１１４を備えていない点を除いて、実施形態に係る発光部１０と同様の構成である。そして、第１スイッチ１１２を押すたびに、発光部１０の発光状態は、第１状態、第２状態、及び非点灯の順に切り替わる。
【００２９】
本変形例によっても、実施形態と同様に、発光部１０に、ポケット２０の内部を照明する機能の他に、他の領域を照明する機能を持たせることができる。また、第２状態において、発光部１０の一部は非発光領域となる。このため、発光部１０の一部を鏡として用いることができる。
【００３０】
以上、図面を参照して実施形態及び実施例について述べたが、これらは本発明の例示であり、上記以外の様々な構成を採用することもできる。
【符号の説明】
【００３１】
１０  発光部
２０  ポケット
２２  前面部材（前面）
３０  座席
４０  制御部
５０  固定部
１００  基板
１０２  発光面
１０４  非発光面
１０６  発光領域
１０８  非発光領域
１１２  第１スイッチ
１１４  第２スイッチ
【図１】
2016153289.tif 000003
【図２】
2016153289.tif 000004
【図３】
2016153289.tif 000005
【図４】
2016153289.tif 000006
【図５】
2016153289.tif 000007
【図６】
2016153289.tif 000008
【図７】
2016153289.tif 000009